(57)【特許請求の範囲】
【請求項１】
表面が構造物の仕上面で裏面がコンクリート打設側となるコンクリート製捨型枠の裏面側に対して、施工時に自立させる略三角形状の支持アングルを取付け、前記支持アングルの底辺後部側に高さ調整ねじを取付けると共に、該ねじの挿通孔のある基部が水平回動支点となり後部に長穴を有するアンカーボルトへの固定金具を設け、該固定金具とアンカーボルトのねじ部によりコンクリート製捨型枠の傾斜を調整固定してなることを特徴とするコンクリート製捨型枠の設置構造。
【請求項２】
表面が構造物の仕上面で裏面がコンクリート打設側となるコンクリート製捨型枠の裏面側に施工時に対して、自立させるための略三角形状の支持アングルを設け、該支持アングルの一辺のコンクリート製捨型枠上方から斜め後方下部に向けて設けられた斜支持片に伸縮調節手段を設け、該伸縮調節手段の調節によりコンクリート製捨型枠の傾斜を調整固定してなることを特徴とするコンクリート製捨型枠の設置構造。
【発明の詳細な説明】
【０００１】
【産業上の利用分野】
本発明は、新たに施工される法面擁壁，砂防施設や，従来より存在している砂防堰堤の補修や修景，補強等に施工される、表面が構造物の仕上面、裏面がコンクリート打設面側となるコンクリート製捨型枠の取付構造に関するものである。
【０００２】
【従来の技術】
コンクリート製の捨型枠は、埋め型枠とも称されるように擁壁等の傾斜に沿わせた状態で背面の裏打ちコンクリートによって一体化され、構造物の仕上面を構成するパネル状のもので、従来の型枠使用の場合に必要とされる型枠の組付けや解体を必要としない点や、仕上りの良い点、施工期間が短い等の理由から多く施工されるようになっている。捨型枠を用いる施工の手順としては、下段の捨型枠の背面が現場裏打ちコンクリートの固化で固着されると、上段の捨型枠の勾配を調整しながら組付けて、再度捨型枠の背面にコンクリートを流し込んで固化させる。この工程を複数回繰返して所定の高さまで数段の組付けを終えるのである。捨型枠自体が型枠の役目をするので、型枠組み作業を必要としない特徴がある。
【０００３】
【発明が解決しようとする課題】
コンクリート製捨型枠は施工時のコンクリート打設の際に自立のための何らかの手段が必要であるし、法面勾配に沿わせるためには、捨型枠の勾配（傾斜）を調整しながら上段へと組付けていく必要がある。捨型枠を用いる施工の歴史が浅いため従来、コンクリート製捨型枠は、法面勾配に沿わせるための手段や、アンカーボルトの埋設誤差等に対する調整手段等を充分に備えた構造ではなかった。
【０００４】
【課題を解決するための手段】
そこで、本発明は上記従来充分には検討が加えられていなかったコンクリート製捨型枠に検討を加えて、表面が構造物の仕上面で裏面がコンクリート打設側となるコンクリート製捨型枠の裏面側に対して、施工時に自立させる略三角形状の支持アングルを取付け、該支持アングルの底辺後部側に高さ調整ねじを取付けると共に、該ねじの挿通孔のある基部が水平回動支点となり後部に長穴を有するアンカーボルトへの固定金具を設け、該固定金具とアンカーボルトのねじ部によりコンクリート製捨型枠の傾斜を調整固定してなることを特徴とするコンクリート製捨型枠の設置構造とした。
【０００５】
また、表面が構造物の仕上面で裏面がコンクリート打設側となるコンクリート製捨型枠の裏面側に、施工時に自立させるための略三角形状の支持アングルを設け、該支持アングルの一辺のコンクリート製捨型枠上方から斜め後方下部に向けて設けられた斜支持片に伸縮調節手段を設け、該伸縮調節手段の調節によりコンクリート製捨型枠の勾配を調整固定してなることを特徴とするコンクリート製捨型枠の設置構造とした。ここにいう伸縮調節手段とは斜支持片を長短いずれかへ調節することができる構造、例えばターンバックルを設けたり、斜支持片を２本に分割し、一方にグループ穴を設け、他方の連結端部には前記グループ穴内で自由に止めることのできる止めネジを設ける等である。
【０００６】
【作用】
支持アングルの底辺後部側に高さ調整ねじを設けたので、コンクリート製捨型枠の勾配を擁壁の勾配に合致するように任意に調整できる。また、支持アングルの底辺を延長した背面側に基部が回動支点となる固定金具を設けたので、下段の打設コンクリートに立設されたアンカーボルトの埋設位置に多少の相違があっても、固定金具を回動させて適当に調整すればアンカーボルトへ嵌めることができる。
【０００７】
ほぼ三角形状の支持アングルの一辺の斜支持片に伸縮調節手段を設けた場合も、コンクリート製捨型枠の勾配を自由に擁壁の勾配に合致するように任意に調節して固定することができる。
【０００８】
コンクリート製捨型枠と支持アングル及びアンカーボルトによって、コンクリート製捨型枠と裏打ちコンクリートが一体化して高強度なものとなる。
【０００９】
【実施例】
図１，２は本発明の固定金具１を用いて固定するタイプの実施例を示す。コンクリート製捨型枠２は図１では背面がみられる。表面は特に図示しないが、平滑面であってもよいし、景観を配慮して擬石模様等の模様を施したり、自然石貼り等の仕上げ面であっても構わない。裏面側に現場でコンクリート打ちがなされるので、一体化を強固にするために突出筋１０が設けられている。
【００１０】
このコンクリート製捨型枠２の裏面側に施工時に自立させるための略三角形状の支持アングル３を左右一対で取付けている。この支持アングル３の数は必要に応じて増減することができる。支持アングル３は、コンクリート製捨型枠２をボルト４止めする辺３ａと、底辺３ｂと、斜め辺３ｃとからなる。斜め辺３ｃに代えて辺３ａと底辺３ｂの頂部に三角板を溶接したものでもよい。辺３ａと底辺３ｂとのなす角はほぼ構築する擁壁の勾配程度に形成されている。コンクリート製捨型枠２をボルト止めする辺３ａは、この例では上下方向に一体物であるが、コンクリート製捨型枠２を保持可能でさえあれば途中が分離したものでも構わない。この底辺３ｂの後部側に基部が水平面内で回動可能となるように高さ調節ねじ７によってアンカーボルト５への固定金具１を設け連結している。アンカーボルト５は下段の裏打ちコンクリート６またはベース部打設コンクリートに立設されており、頂部がネジ構造となっている。
【００１１】
そこで、施工時にはコンクリート製捨型枠２の裏面側に支持アングル３を取付け、かつ固定金具１を高さ調節ねじ７によって支持アングル３の底辺３ｂの後部側に少し水平面内で回動できる程度に連結しておく。この状態で下段のコンクリート製捨型枠２の上縁へ上段のコンクリート製捨型枠２を載せて、高さ調節ねじ７によって傾斜（勾配）を正確に合わせ、固定金具１を適当な位置へ回動させ、その後部に設けた長穴８をアンカーボルト５の頂部に通して、下方に予め螺入されたナット９ａと上方から螺入されたナット９ｂとによって、締結する。この操作を終えると、コンクリート製捨型枠２の背部にある支持アングル３も固定金具１も埋めてほぼコンクリート製捨型枠２の上縁付近までコンクリート打ちがなされる。このとき上段のコンクリート製捨型枠２を前記同様に下方を埋設した状態で立設しておいて、順次上方へと擁壁等を構築する。
【００１２】
図３はコンクリート製捨型枠２の裏面側に設けた略三角形状の支持アングル３の斜め辺３ｃに代えてターンバックル１１を設けた実施例である。コンクリート製捨型枠２をボルト等で固定する辺３ａに対して、斜め辺３ｃも底辺３ｂも先部をＬ状に曲げて辺３ａの両端に形成された軸穴１２へ回動可能に軸支している。斜め辺３ｃと底辺３ｂの後部は保持環１３，１４を有しており、それらを矩形環１５の一辺に嵌めて形状が可変な支持アングル３となっている。矩形環１５は三角環でもよく、あるいは環状のものに代えて上部が突出して立設されたアンカーボルトに斜め辺３ｃも底辺３ｂも鉤状に曲げて係止させてもよいが、この例では複数のアンカーボルト５を有する固定板１６へ溶接している。断面Ｌ形の固定板１６は下段のコンクリート打設時にアンカーボルト５の部分を埋没させて固定している。
【００１３】
このような構造であるから、下段のコンクリート製捨型枠２の上縁へ上段のコンクリート製捨型枠２を載せて、矩形環１５を固定板１６へ溶接あるいは係止して、斜支持片３ｃに設けられたターンバックル１１を回してコンクリート製捨型枠２の勾配を調整固定する。
【００１４】
【発明の効果】
本発明は以上のような構造であるから、支持アングル３によって自立可能な構造で施工が容易であるし、コンクリート製捨型枠２の勾配を自由に調整することが可能である。
【００１５】
支持アングル３によって下段の裏打ちコンクリートに固定したアンカーボルトへコンクリート製捨型枠２を固定し、更に、コンクリート製捨型枠２と支持アングル３及び固定金具とアンカーボルトによって、コンクリート製捨型枠２と裏打ちコンクリートが一体化して高強度なものとなる。
【図面の簡単な説明】
【図１】本発明のコンクリート製捨型枠の設置構造を示す背面斜視図である。
【図２】同側面図である。
【図３】本発明のコンクリート製捨型枠の他の設置構造を示す背面斜視図である。
【符号の説明】
１  固定金具
２  コンクリート製捨型枠
３  支持アングル
４  ボルト
５  アンカーボルト
６  裏打ちコンクリート
７  ねじ
８  長穴
１０  突出筋
１１  ターンバックル
１２  軸穴
【図１】
0003612356.tif 000002
【図２】
0003612356.tif 000003
【図３】
0003612356.tif 000004